(57)【要約】      （修正有）【課題】長期にわたってフリーストップ機能を有し、蓋体の開閉に際して蝶番部で軋み音が発生したり摩耗粉が生じることのない耐久性に優れたオール樹脂製のコンパクトを提案する。【解決手段】化粧料の収納空間を有する容器本体１と、この容器本体１の左右のそれぞれの端部で枢支軸３を介して揺動可能に保持され該容器本体１に合わさって収納空間を密閉する蓋体２とを備え、前記枢支軸３の一方は、容器本体１又は蓋体２に一体的に設けられ蓋体２又は容器本体１に形成された割り溝２ｂに強制的に嵌入するピン３ｂからなり、もう一方の枢支軸３は、容器本体１及び蓋体２を貫いてそれらを相互につなぐ樹脂製の挿通ピン３ａからなるものとする。【選択図】図２
2006122203.tif 000002
【特許請求の範囲】
【請求項１】
全ての構成部材を合成樹脂としたオール樹脂製コンパクトであって、
化粧料の収納空間を有する容器本体と、この容器本体の左右のそれぞれの端部で枢支軸を介して揺動可能に保持され該容器本体に合わさって収納空間を密閉する蓋体とを備え、
前記枢支軸の一方は、容器本体又は蓋体に一体的に設けられ蓋体又は容器本体に形成された割り溝に強制的に嵌入するピンからなり、
もう一方の枢支軸は、容器本体及び蓋体を貫いてそれらを相互につなぐ樹脂製の挿通ピンからなることを特徴とするオール樹脂製コンパクト。
【請求項２】
前記挿通ピンの軸部は、蓋体を任意の位置にて停止させるフリーストップ機能を有する請求項１記載のオール樹脂製コンパクト。
【請求項３】
前記挿通ピンは、容器本体、蓋体とは異なる材質からなる、請求項１又は２
の何れかに記載のオール樹脂製コンパクト。
【請求項４】
前記挿通ピンは、ＰＯＭ、ＰＢＴ、Ｎｙの中から選択される樹脂である請求項３に記載のオール樹脂製コンパクト。
【発明の詳細な説明】
【技術分野】
【０００１】
本発明は、ファンデーションやアイシャドー等の化粧料を入れるのに適したオール樹脂製コンパクトに関するものであり、容器本体と蓋体とをつなぐ蝶番部分に工夫を加えその部位の耐久性の改善を図るとともに蓋体の開閉時に生じがちな軋み音や摩耗粉の発生を効果的に回避しょうとするものである。
【背景技術】
【０００２】
化粧料等を入れるのに使用されるコンパクトは、内容物を装填する収納空間を有する容器本体と、この容器本体に合わさる蓋体とを組み合わせた比較的簡易な構造からなっており、該蓋体は容器本体又は蓋体の一方に一体的に設けられたピンを蓋体又は容器本体に形成された割り溝に強制的に嵌合させた簡易蝶番を介して揺動可能に保持されているのが普通であった。
【０００３】
ところで、簡易蝶番を有する従来のコンパクトは、蓋体及び容器本体を同系の素材（ＡＳ、ＡＢＳ樹脂等）にて構成し簡易蝶番部での摺り合わせ動作でもって蓋体を任意の位置で停止させておくフリーストップ機能をもたせた場合に、蓋体の開閉に際して蝶番部から軋み音が生じるととももに、その部位で樹脂が削られて摩耗粉が出てしまうことが懸念され、逆に、長期間の使用にあっては簡易蝶番の嵌合部位が馴染んでしまいフリーストップ機能を果たさなくなるおそれもあった。
【０００４】
このような従来の問題に対処するためのものとしては、容器本体及び蓋体の両サイドにそれぞれ貫通孔を設けてこの各貫通孔に樹脂製の枢支軸（蝶番ピン）をそれぞれ挿通、嵌合させて締め込む構造のものが知られている（例えば特許文献１参照）。
【０００５】
【特許文献１】特開平１１−２８５４１１号公報
【０００６】
かかる構造を有するコンパクトは、枢支軸の締め込みにより貫通孔における嵌合度合いを調整することができるので簡易蝶番を有するコンパクトと比較した場合に長期にわたってフリーストップ機能を維持できる利点があるところ、該枢支軸は、枢支軸の嵌合部位における接触面積が拡大されることから、摺り合わせの際の摩擦力が過大となり枢支軸の耐久性に影響を与えてしまうことが懸念された。また、枢支軸にオレフィン系樹脂（ＰＥ、ＰＰ等）を使用した場合には捩れ変形に対する強度不足という欠点があり、また、オレフィン系樹脂に代えてＰＥＴ樹脂を使用したものでは依然として軋み音が発生が避けられない状況にあった。
【発明の開示】
【発明が解決しようとする課題】
【０００７】
本発明の課題は、容器本体と蓋体とをつなぐ蝶番部分の耐久性の改善を図るとともに蓋体の開閉に伴って生じていた軋み音や摩耗粉の発生を回避できる新規なコンパクトを提案するところにある。
【課題を解決するための手段】
【０００８】
本発明は、全ての構成部材を合成樹脂としたオール樹脂製コンパクトであって、
化粧料の収納空間を有する容器本体と、この容器本体の左右のそれぞれの端部で枢支軸を介して揺動可能に保持され該容器本体に合わさって収納空間を密閉する蓋体とを備え、
前記枢支軸の一方は、容器本体又は蓋体に一体的に設けられ蓋体又は容器本体に形成された割り溝に強制的に嵌入するピンからなり、
もう一方の枢支軸は、容器本体及び蓋体を貫いてそれらを相互につなぐ樹脂製の挿通ピンからなることを特徴とするオール樹脂製コンパクトである。
【０００９】
上記の構成になるオール樹脂製コンパクトにおいては、前記挿通ピンの軸部は、貫通孔との締めを強くして蓋体を任意の位置にて停止させるフリーストップ機能を付与することができる。
【００１０】
また、前記挿通ピンは、容器本体、蓋体とは異材質とするのが好ましく、ＰＯＭ、ＰＢＴあるいはＮｙの中から選択される樹脂を適用することができる。
【発明の効果】
【００１１】
割り溝に適合する一体成形になるピンと、容器本体及び蓋体を貫いてそれらを相互につなぐ挿通ピンの２種の枢支軸によって蓋体を揺動可能に支持するので、摺り合わせによって生じる摩耗粉の発生は極端に軽減されるとともに軋み音の発生なしにフリーストップ機能を長期間にわたって維持できる。
【発明を実施するための最良の形態】
【００１２】
以下、図面を用いて本発明をより具体的に説明する。
図１は本発明に従うコンパクトの実施の形態を示し外観斜視図であり、図２は図１の要部を断面について示した図である。
【００１３】
図における１は化粧料の収納空間を形成する容器本体、２は容器本体１に合わさって収納空間を密閉する蓋体、３は蓋体２を容器本体１に対して揺動可能に保持するための枢支軸である。
【００１４】
枢支軸３は容器本体１及び蓋体２に設けられた貫通孔１ａ、２ａに挿通される挿通ピン３ａと、容器本体１に一体的に設けられ蓋体２の割り溝２ｂに強制嵌入して適合するピン３ｂの２つからなっており、このうち、挿通ピン３ａは円形断面になる第１軸部３ａ１とこれにつながる多角形断面になる第２軸部３ａ２を有している。
【００１５】
上記の構成になるコンパクトにおいて一方の蝶番部分は一体成形のピン３ｂとこのピン３ｂに強制嵌入して適合する割り溝２ｂからなる従来型の簡易蝶番となっているが、もう一方については円形断面を有する第１軸部３ａ１を備えた挿通ピン３を配置してあることから簡易蝶番において発生する摩耗粉は少なくなりその部位における摩耗が進行しても挿通ピン３でフリーストップ機能が維持される。
【００１６】
挿通ピン３の第２軸部３ａ２は多角形断面を有するもので容器本体１の貫通孔１ａにおいては回転することはなく、第１軸部３ａ１のみが蓋体２の貫通孔２ａにて擦り合わさることになる（ここで締め代をつけてフリーストップ機能をもたせる）ので、接触面積が小さくでき（摩擦抵抗の軽減）該挿通ピン３に捩れ変形を起こすような力が作用することもない。
【００１７】
容器本体１及び蓋体２はＡＳ、ＡＢＳ等の樹脂にて構成することができるもので、この場合、挿通ピン３は摩擦の進行度合いを軽減しかつ軋み音をなくすため（強度及び滑り性の改善）、容器本体１及び蓋体２とは異なる材質、例えばＰＯＭ（ポリオキシメチレン）、ＰＢＴ（ポリブチレンテレフタレート）あるいはＮｙ（ナイロン）等の樹脂にて構成するのが適当である。これらの樹脂は、従来挿通ピンに使用されていたＰＥ、ＰＰ等のオレフィン系樹脂やＰＥＴ等と比較して、機械特性に優れ、捩れ等の応力に対し強度を発揮するとともに滑りも良好なため、これらの樹脂にて形成された挿通ピン３を用いることで耐久性に優れかつ使用性の良好なオール樹脂コンパクトを得ることができる。
【００１８】
挿通ピン３は多角形断面となるその第２軸部３ａ２を容器本体１の貫通孔１ａに挿通させる図１に示したものが適用できる他、図３に示すように構成して多角形断面となる第２軸部３ａ２を蓋体２の貫通孔２ａで挿通させるようにしてもよく、この点についてはとくに限定されない。
【産業上の利用可能性】
【００１９】
蓋体の開閉に際して軋み音が発生したり摩耗粉の発生がほとんどなく、フリーストップ機能を長期にわたって維持することが可能な使い勝手のよいオール樹脂製のコンパクトが提供できる。
【図面の簡単な説明】
【００２０】
【図１】本発明に従うコンパクトの実施の形態を示した図である。
【図２】（ａ）（ｂ）は図１に示したコンパクトの要部の断面図である。
【図３】挿通ピンの他の実施の形態に係わる外観斜視図である。
【符号の説明】
【００２１】
１  容器本体
１ａ  貫通孔
２  蓋体
２ａ  貫通孔
２ｂ  割り溝
３  枢支軸
３ａ  挿通ピン
３ｂ  ピン
【図１】
2006122203.tif 000003
【図２】
2006122203.tif 000004
【図３】
2006122203.tif 000005